【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  複数の座標入力手段を接続した接続手段と、
前記接続手段を介して前記複数の座標入力手段から入力される座標情報を入力すると共に、前記座標入力手段が操作されたときには所定の時間が経過するまで前記座標入力手段から入力される座標情報のみを有効とする処理手段と
を具備したことを特徴とする座標情報入力装置。
【請求項２】  請求項１に記載の座標情報入力装置において、
前記複数の座標入力手段はそれぞれボタンを有し、
前記処理手段は、前記ボタンの押下に対応して、所定の時間の間、前記ボタンを有する前記座標入力手段からの座標情報のみを有効とする
ことを特徴とする座標情報入力装置。
【請求項３】  請求項２に記載の座標情報入力装置において、
前記処理手段はマウスドライバを含み、前記接続手段を介してデジタイザおよび／またはマウスからの座標情報を前記マウスドライバに入力することを特徴とする座標情報入力装置。
【請求項４】  請求項１〜３のいずれかに記載の座標情報入力装置において、
前記複数の座標入力手段のうち少なくとも一つの座標入力手段は複数の電子ペンを備え、
前記処理手段は、前記電子ペンが操作されたときには所定の時間が経過するまで前記電子ペンから入力される座標情報のみを有効とすることを特徴とする座標情報入力装置。
【請求項５】  請求項４に記載の座標情報入力装置において、
前記複数の電子ペンはそれぞれの座標情報を出力することを特徴とする座標情報入力装置。
【請求項６】  請求項４または５に記載の座標情報入力装置において、
前記複数の電子ペンはそれぞれ複数のボタンを有し、各ボタンの押下はそれぞれのボタンの押下の信号として識別されることを特徴とする座標情報入力装置。
【請求項７】  複数の座標入力手段からそれぞれ入力される座標情報を入力するに際して、前記座標入力手段が操作されたときには所定の時間が経過するまで前記座標入力手段から入力される座標情報のみを有効とすることを特徴とする座標情報入力方法。
【請求項８】  請求項７に記載の座標情報入力方法において、
前記複数の座標入力手段はそれぞれボタンを有しており、ある一つのボタンの押下に対応して、所定の時間の間、前記ボタンを有する前記座標入力手段からの座標情報のみを有効とすることを特徴とする座標情報入力方法。
【請求項９】  請求項８に記載の座標情報入力方法において、
前記座標入力手段はマウスドライバを含み、前記座標入力手段であるデジタイザおよび／またはマウスからの座標情報を前記マウスドライバに入力することを特徴とする座標情報入力方法。
【請求項１０】  請求項７〜９のいずれかに記載の座標情報入力方法において、
前記複数の座標入力手段のうち少なくとも一つの座標入力手段は複数の電子ペンを備えており、前記電子ペンが操作されたときには所定の時間が経過するまで前記電子ペンから入力される座標情報のみを有効とすることを特徴とする座標情報入力方法。
【請求項１１】  請求項１０に記載の座標情報入力方法において、
前記複数の電子ペンはそれぞれの座標情報を出力することを特徴とする座標情報入力方法。
【請求項１２】  請求項１０または１１に記載の座標情報入力方法において、
前記複数の電子ペンはそれぞれ複数のボタンを有し、各ボタンの押下はそれぞれのボタンの押下の信号として識別されることを特徴とする座標情報入力方法。
【請求項１３】  複数の座標入力手段からそれぞれ入力される座標情報を入力するに際して、前記座標入力手段が操作されたときには所定の時間が経過するまで前記座標入力手段から入力される座標情報のみを有効とする手順を、読み出し可能なプログラムの形態で記憶したことを特徴とする記憶媒体。
【請求項１４】  請求項１３に記載の記憶媒体において、
前記複数の座標入力手段はそれぞれボタンを有しており、ある一つのボタンの押下に対応して、所定の時間の間、前記ボタンを有する前記座標入力手段からの座標情報のみを有効とすることを特徴とする記憶媒体。
【請求項１５】  請求項１４に記載の記憶媒体において、
前記座標入力手段はマウスドライバを含み、前記座標入力手段であるデジタイザおよび／またはマウスからの座標情報を前記マウスドライバに入力することを特徴とする記憶媒体。
【請求項１６】  請求項１３〜１５のいずれかに記載の記憶媒体において、
前記複数の座標入力手段のうち少なくとも一つの座標入力手段は複数の電子ペンを備えており、前記電子ペンが操作されたときには所定の時間が経過するまで前記電子ペンから入力される座標情報のみを有効とすることを特徴とする記憶媒体。
【請求項１７】  請求項１６に記載の記憶媒体において、
前記複数の電子ペンはそれぞれの座標情報を出力することを特徴とする記憶媒体。
【請求項１８】  請求項１６または１７に記載の記憶媒体において、
前記複数の電子ペンはそれぞれ複数のボタンを有し、各ボタンの押下はそれぞれのボタンの押下の信号として識別されることを特徴とする記憶媒体。
【請求項１９】  複数の電子ペンを備えた座標入力手段と、
前記電子ペンが操作されたときには所定の時間が経過するまで前記電子ペンにより入力された座標情報のみを出力する処理手段と
を具備したことを特徴とする座標情報入力装置。
【請求項２０】  複数の電子ペンを有し、前記電子ペンが操作されたときには所定の時間が経過するまで前記電子ペンにより入力された座標情報のみを出力することを特徴とする座標情報入力方法。
【請求項２１】  複数の電子ペンを有し、前記電子ペンが操作されたときには所定の時間が経過するまで前記電子ペンにより入力された座標情報のみを出力する手順を、読み出し可能なプログラムの形態で記憶したことを特徴とする記憶媒体。
【請求項２２】  請求項１３〜１８，２１のいずれかに記載の記憶媒体において、
前記記憶媒体として、コンピュータが読むことができるプログラムを格納したフロッピー（登録商標）ディスク、ハードディスク、光磁気ディスク、光ディスク、ＣＤ−ＲＯＭ、ＣＤ−Ｒ、磁気テープ、不揮発性のメモリカード、ＲＯＭを用いることを特徴とする記憶媒体。
【請求項２３】  請求項１３〜１８，２１のいずれかに記載の記憶媒体において、
前記記憶媒体は、コンピュータに着脱可能であることを特徴とする記憶媒体。
【手続補正２】
【補正対象書類名】明細書
【補正対象項目名】００１６
【補正方法】変更
【補正の内容】
【００１６】
【課題を解決するための手段】
上記の目的を達成するために、請求項１に係る本発明は、複数の座標入力手段を接続した接続手段と、前記接続手段を介して前記複数の座標入力手段から入力される座標情報を入力すると共に、前記座標入力手段が操作されたときには所定の時間が経過するまで前記座標入力手段から入力される座標情報のみを有効とする処理手段とを具備した座標情報入力装置である。
【手続補正３】
【補正対象書類名】明細書
【補正対象項目名】００１７
【補正方法】変更
【補正の内容】
【００１７】
請求項２に係る本発明は、請求項１に係る座標情報入力装置において、前記複数の座標入力手段はそれぞれボタンを有し、前記処理手段は、前記ボタンの押下に対応して、所定の時間の間、前記ボタンを有する前記座標入力手段からの座標情報のみを有効とする。
【手続補正４】
【補正対象書類名】明細書
【補正対象項目名】００１８
【補正方法】変更
【補正の内容】
【００１８】
請求項３に係る本発明は、請求項２に係る座標情報入力装置において、前記処理手段はマウスドライバを含み、前記接続手段を介してデジタイザおよび／またはマウスからの座標情報を前記マウスドライバに入力する。
【手続補正５】
【補正対象書類名】明細書
【補正対象項目名】００１９
【補正方法】変更
【補正の内容】
【００１９】
請求項４に係る本発明は、請求項１〜３のいずれかに係る座標情報入力装置において、前記複数の座標入力手段のうち少なくとも一つの座標入力手段は複数の電子ペンを備え、前記処理手段は、前記電子ペンが操作されたときには所定の時間が経過するまで前記電子ペンから入力される座標情報のみを有効とする。
【手続補正６】
【補正対象書類名】明細書
【補正対象項目名】００２０
【補正方法】変更
【補正の内容】
【００２０】
請求項５に係る本発明は、請求項４に係る座標情報入力装置において、前記複数の電子ペンはそれぞれの座標情報を出力する。
【手続補正７】
【補正対象書類名】明細書
【補正対象項目名】００２１
【補正方法】変更
【補正の内容】
【００２１】
請求項６に係る本発明は、請求項４または５に係る座標情報入力装置において、前記複数の電子ペンはそれぞれ複数のボタンを有し、各ボタンの押下はそれぞれのボタンの押下の信号として識別される。
【手続補正８】
【補正対象書類名】明細書
【補正対象項目名】００２２
【補正方法】変更
【補正の内容】
【００２２】
請求項７に係る本発明は、複数の座標入力手段からそれぞれ入力される座標情報を入力するに際して、前記座標入力手段が操作されたときには所定の時間が経過するまで前記座標入力手段から入力される座標情報のみを有効とする座標情報入力方法である。
【手続補正９】
【補正対象書類名】明細書
【補正対象項目名】００２３
【補正方法】変更
【補正の内容】
【００２３】
請求項８に係る本発明は、請求項７に係る座標情報入力方法において、前記複数の座標入力手段はそれぞれボタンを有しており、ある一つのボタンの押下に対応して、所定の時間の間、前記ボタンを有する前記座標入力手段からの座標情報のみを有効とする。
【手続補正１０】
【補正対象書類名】明細書
【補正対象項目名】００２４
【補正方法】変更
【補正の内容】
【００２４】
請求項９に係る本発明は、請求項８に係る座標情報入力方法において、前記処理手段はマウスドライバを含み、前記座標入力手段であるデジタイザおよび／またはマウスからの座標情報を前記マウスドライバに入力する。
【手続補正１１】
【補正対象書類名】明細書
【補正対象項目名】００２５
【補正方法】変更
【補正の内容】
【００２５】
請求項１０に係る本発明は、請求項７〜９のいずれかに係る座標情報入力方法において、前記複数の座標入力手段のうち少なくとも一つの座標入力手段は複数の電子ペンを備えており、前記電子ペンが操作されたときには所定の時間が経過するまで前記電子ペンから入力される座標情報のみを有効とする。
【手続補正１２】
【補正対象書類名】明細書
【補正対象項目名】００２６
【補正方法】変更
【補正の内容】
【００２６】
請求項１１に係る本発明は、請求項１０に係る座標情報入力方法において、前記複数の電子ペンはそれぞれの座標情報を出力する。
【手続補正１３】
【補正対象書類名】明細書
【補正対象項目名】００２７
【補正方法】変更
【補正の内容】
【００２７】
請求項１２に係る本発明は、請求項１０または１１に係る座標情報入力方法において、前記複数の電子ペンはそれぞれ複数のボタンを有し、各ボタンの押下はそれぞれのボタンの押下の信号として識別される。
【手続補正１４】
【補正対象書類名】明細書
【補正対象項目名】００２８
【補正方法】変更
【補正の内容】
【００２８】
請求項１３に係る本発明は、複数の座標入力手段からそれぞれ入力される座標情報を入力するに際して、前記座標入力手段が操作されたときには所定の時間が経過するまで前記座標入力手段から入力される座標情報のみを有効とする手順を、読み出し可能なプログラムの形態で記憶した記憶媒体である。
【手続補正１５】
【補正対象書類名】明細書
【補正対象項目名】００２９
【補正方法】変更
【補正の内容】
【００２９】
請求項１４に係る本発明は、請求項１３に係る記憶媒体において、前記複数の座標入力手段はそれぞれボタンを有しており、ある一つのボタンの押下に対応して、所定の時間の間、前記ボタンを有する前記座標入力手段からの座標情報のみを有効とする。
【手続補正１６】
【補正対象書類名】明細書
【補正対象項目名】００３０
【補正方法】変更
【補正の内容】
【００３０】
請求項１５に係る本発明は、請求項１４に係る記憶媒体において、前記処理手段はマウスドライバを含み、前記座標入力手段であるデジタイザおよび／またはマウスからの座標情報を前記マウスドライバに入力する。
【手続補正１７】
【補正対象書類名】明細書
【補正対象項目名】００３１
【補正方法】変更
【補正の内容】
【００３１】
請求項１６に係る本発明は、請求項１３〜１５のいずれかに係る記憶媒体において、前記複数の座標入力手段のうち少なくとも一つの座標入力手段は複数の電子ペンを備えており、前記電子ペンが操作されたときには所定の時間が経過するまで前記電子ペンから入力される座標情報のみを有効とする。
【手続補正１８】
【補正対象書類名】明細書
【補正対象項目名】００３２
【補正方法】変更
【補正の内容】
【００３２】
請求項１７に係る本発明は、請求項１６に係る記憶媒体において、前記複数の電子ペンはそれぞれの座標情報を出力する。
【手続補正１９】
【補正対象書類名】明細書
【補正対象項目名】００３３
【補正方法】変更
【補正の内容】
【００３３】
請求項１８に係る本発明は、請求項１６または１７に係る記憶媒体において、前記複数の電子ペンはそれぞれ複数のボタンを有し、各ボタンの押下はそれぞれのボタンの押下の信号として識別される。
【手続補正２０】
【補正対象書類名】明細書
【補正対象項目名】００３４
【補正方法】変更
【補正の内容】
【００３４】
請求項１９に係る本発明は、複数の電子ペンを備えた座標入力手段と、前記電子ペンが操作されたときには所定の時間が経過するまで前記電子ペンにより入力された座標情報のみを出力する処理手段とを具備した座標情報入力装置である。
【手続補正２１】
【補正対象書類名】明細書
【補正対象項目名】００３５
【補正方法】変更
【補正の内容】
【００３５】
請求項２０に係る本発明は、複数の電子ペンを有し、前記電子ペンが操作されたときには所定の時間が経過するまで前記電子ペンにより入力された座標情報のみを出力する座標情報入力方法である。
【手続補正２２】
【補正対象書類名】明細書
【補正対象項目名】００３６
【補正方法】変更
【補正の内容】
【００３６】
請求項２１に係る本発明は、複数の電子ペンを有し、前記電子ペンが操作されたときには所定の時間が経過するまで前記電子ペンにより入力された座標情報のみを出力する手順を、読み出し可能なプログラムの形態で記憶した記憶媒体である。
【手続補正２３】
【補正対象書類名】明細書
【補正対象項目名】００３７
【補正方法】変更
【補正の内容】
【００３７】
請求項２２に係る本発明は、請求項１３〜１８，２１のいずれかに係る記憶媒体において、前記記憶媒体として、コンピュータが読むことができるプログラムを格納したフロッピー（登録商標）ディスク、ハードディスク、光磁気ディスク、光ディスク、ＣＤ−ＲＯＭ、ＣＤ−Ｒ、磁気テープ、不揮発性のメモリカード、ＲＯＭを用いる。
【手続補正２４】
【補正対象書類名】明細書
【補正対象項目名】００３８
【補正方法】変更
【補正の内容】
【００３８】
請求項２３に係る本発明は、請求項１３〜１８，２１のいずれかに係る記憶媒体において、前記記憶媒体は、コンピュータに着脱可能である。